(57)【要約】      （修正有）【課題】簡単な形状で溶湯中の異物を補足し、かつ鋳造後に湯道が折れ易い湯道を提供する。【解決手段】２つの湯道１，２をつなぐ湯道３であって、三味線の撥（ばち）形状の湯道である。溶湯の湯流れの拡大損失や縮小損失を利用して流速を低下させ、異物の補足が容易になる。その結果、コストのかかるフィルターを省略できる場合もある。広く薄い部分の切欠き効果によって、鋳造後の湯道折りが容易になり、特別の湯道折り工程が不要になる。【選択図】図１
0003174394.tif 000002
【実用新案登録請求の範囲】
【請求項１】
鋳造において用いる方案系の２つの湯道をつなぐ湯道の形状であって、図１においてその形状が、Ｄ＝（２．５〜４）×Ｄ１、Ｈ＝（０．７〜１．２）×（Ｄ１×Ｈ１）／Ｄ、Ｌ＝（２〜３．５）×Ｄ１  で定義される湯道の形状。
【考案の詳細な説明】
【考案の詳細な説明】
【産業上の利用分野】
【０００１】  本発明は、鋳造において用いる方案系の２つの湯道をつなぐ湯道の形状に関するものである。
【背景技術】
【０００２】  鋳造においては、溶湯を製品部及び押湯部に導くために、湯口、湯道が必要で、一般に、これらに押湯を含めて方案系と称している。本考案はこの方案系のうち、湯道の改良に関するものである。【０００３】  湯道の機能は、溶湯を流すという基本機能に加え、溶湯の流れを調整してノロ、砂などの異物を補足することである。そのため昔から、湯口：湯道：堰の比を湯口比と称して、種々の湯口比が推奨されている。また、異物を除去するために、湯道の一部を絞ったり、突起を設けたりすることが現場ノウハウとして使われている。これらの手段は簡便であるが、いずれも決定的な方法ではなく、試行錯誤で用いられている。【０００４】  また、異物を補足するために湯口下又は湯道にフィルターを用いることも行われているが、異物を完全には補足できていないし、フィルターの使用は鋳物製品のコストに影響する要因のひとつである。【０００５】  また、鋳造後、湯道は湯口、押湯と共にリターン材として溶解炉に挿入されて再溶解される。この時に、湯道が折れていないと、リターン材の充填効率が悪く、結果として溶解効率が低下する。そのため、湯道を機械的に折断する工程を必要とする場合もある。【０００６】
【特許文献１】  特開２００２−３１６２３９
【特許文献２】  特開２００８−１６８３４２
【特許文献３】  特開２００８−５５４２９
【特許文献４】  実開平５−８８７４４
【考案が解決しようとする課題】
【０００７】  湯道に求められる機能は上記の通りで、溶湯を流すという基本機能を除けば、異物の補足が重要な機能である。その手段として、湯口比、湯道形状の工夫、フィルターなどが用いられているが、その効果、コストなどの面で不十分で、新規な手段が求められている。
【０００８】  また、鋳造後、湯道が折れていないと、湯道を機械的に折断する工程を必要とするので、このような工程なしで湯道が折れるような手段が求められている。
【０００９】  本考案では、上記のような課題を解決するために、異物除去機能と湯道折り機能を有する新規な湯道の形状を提供するものである。
【課題を解決するための手段】
【００１０】  鋳造において用いる方案系の２つの湯道をつなぐ湯道の形状であって、図１においてその形状が、Ｄ＝（２．５〜４）×Ｄ１、Ｈ＝（０．７〜１．２）×（Ｄ１×Ｈ１）／Ｄ、Ｌ＝（２〜３．５）×Ｄ１  で定義される湯道の形状である。以下詳細に説明する。
【作用】
【００１１】  本考案の湯道の形状は、主として２つの湯道がほぼ直交、あるいは直線状に交差、あるいは平行につながる部分に、２つの湯道をつなぐ湯道として用いるものである。勿論、２つの湯道が斜交している場合にも適宜の形状修正を加えて適用可能である。
【００１２】  詳細は実施例で説明するが、基本的な考え方は、２つの湯道の交差部に、２つの湯道をつなぐ湯道として三味線の撥（ばち）形状の湯道を用いる。周知の通り、三味線の撥は、手元がほぼ四角形で、先端部が広く薄くなっている。これを湯道に用いると、手前側の湯道につながっている四角形の部分から流出した溶湯は、急拡大して先端部の広く薄い部分に向かって流れる。流体力学的に言うと、拡大損失を生じて流速が低下しながら流れることになり、この時に溶湯中のノロ、砂などの異物は浮上して、この撥形状の湯道部で補足され易くなる効果が生じる。
【００１３】  また、鋳造後においては、撥（ばち）形状の湯道の先端部はもう一方の湯道に連結されているが、広く薄いので、バラシ工程の振動や段差での落下などの衝撃で簡単に折れるという効果が生じる。
【００１４】  上記のように、２つの湯道の交差部に、三味線の撥形状の湯道を用いることで、異物の補足と湯道折りという２つの作用を生じさせることができる。以下実施例において詳細に説明する。
【実施例１】
【００１５】  図１及び図２は本考案の実施例１の平面図及び断面図である。本実施例では、２つの湯道がほぼ直交している場合について説明する。方案系は直交する湯道Ａ（１）と湯道Ｂ（２）及びこれをつなぐ湯道Ｃ（３）から構成されている。本考案は湯道Ｃ（３）である。溶湯の流れ方向４は矢印で示されている。湯流れの上流側の湯道Ａ（１）の断面形状はＤ１×Ｈ１である。湯道Ｂ（２）の断面形状は特に規定しない。【００１６】  本考案の湯道Ｃ（３）の形状は、次の式で定義される三味線の撥（ばち）形状である。Ｄ＝（２．５〜４）×Ｄ１、Ｈ＝（０．７〜１．２）×（Ｄ１×Ｈ１）／Ｄ、Ｌ＝（２〜３．５）×Ｄ１【００１７】  まず湯道Ｃ（３）の先端部の広く薄い部分の幅寸法Ｄは、湯道Ａ（１）の幅Ｄ１の（２．５〜４）倍とした。つまり、湯道Ａ（１）から急拡大させて、溶湯の拡大損失を生じさせて流速を低下させるようにした。これによって異物は浮上してこの部分で補足され易くなる。なお、倍率が２．５より小さすぎると流速低下が得られず、４より大きすぎると流速低下が大きくなり溶湯が冷却され易い。【００１８】  次に湯道Ｃ（３）の先端部の広く薄い部分の高さ寸法Ｈは、湯道Ｃ（３）の先端部の広く薄い部分の断面積が、湯道Ａ（１）の断面積Ｄ１×Ｈ１の（０．７〜１．２）倍となるようにした。つまり、この断面で、絞りを入れたり、拡大を入れたりできるようにした。この部分の幅ＤはＤ１より広くなっているので、必然的に高さＨはＨ１より小さくなり、薄い形状となるので折れ易い。しかも、湯道Ｂ（２）の下部につながっているので切欠き効果でさらに折れ易くなる。【００１９】  次に湯道Ｃ（３）の長さ寸法Ｌは、湯道Ａ（１）の幅Ｄ１の（２〜３．５）倍とした。これによって、溶湯の拡大損失する長さを規定した。短かすぎると異物の補足ができず、長すぎると溶湯の冷却が大きい。なお、湯道Ｃ（３）と湯道Ａ（１）のつなぎ部はほぼ同じ形状あるいはほぼ同じ断面積でよい。【００２０】  以上のように本考案の湯道Ｃ（３）の形状を構成すれば、この部分で異物補足が容易になるとともに、先端部の広く薄い部分で簡単に折れるという２つの作用効果を得ることができる。
【実施例２】
【００２１】  図３及び図４は本考案の実施例２の平面図及び断面図である。本実施例では、２つの湯道がほぼ直線状に交差している場合について説明する。方案系は直線状に交差する湯道Ａ（１）と湯道Ｂ（２）及びこれをつなぐ湯道Ｃ（３）から構成されている。本考案は２つの湯道Ｃ（３）であり、これを広く薄い部分を向い合せて連接して用いている。湯道Ｃ（３）の形状Ｄ、Ｈ、Ｌの寸法定義は実施例１と同じである。また、溶湯の流れ方向４は矢印で示されている。湯道Ａ（１）の断面形状はＤ１×Ｈ１である。湯道Ｂ（２）の断面形状は特に規定しない。【００２２】  本実施例では、本考案の湯道Ｃ（３）を２つ連接して用いているので、溶湯は最初の湯道Ｃ（３）で拡大損失を生じ、次の湯道Ｃ（３）で縮小損失を生じる。これによって、実施例１に比べ２度の流動損失を生じるので、異物の補足効果がさらに大きくなる。また、２つの湯道Ｃ（３）の連接面は広く薄くなっているので、この部分から簡単に折れる構成となっている。このように湯道Ｃ（３）を２つ連接して用いることで、実施例１と同様あるいはそれ以上の効果を得ることができる。
【実施例３】
【００２３】  図５に実施例３を示す。本例は湯道Ａ（１）と湯道Ｂ（２）がほぼ平行な場合に、これをつなぐ湯道Ｃ（３）から構成されている。湯道Ｃ（３）の形状の寸法定義は実施例１と同じである。作用効果も実施例１と同じである。なお、湯道Ａ（１）と湯道Ｂ（２）が斜交している場合も同様に湯道Ｃ（３）を適宜の修正を加えて用いることができる。
【考案の効果】
【００２４】  以上説明した通り、本考案の湯道の形状は、２つの湯道をつなぐ部分に用いて次のような効果が得られた。
１．  溶湯の湯流れの拡大損失や縮小損失を利用して流速を低下させ、異物の補足が容        易になった。その結果、コストのかかるフィルターを省略できる場合もある。
２．  広く薄い部分の切欠き効果によって、鋳造後の湯道折りが容易になり、特別の湯        道折り工程が不要になった。
【図面の簡単な説明】
【図１】  本発明の実施例１の平面図である。
【図２】  本発明の実施例１のＰ−Ｐ断面図である。
【図３】  本発明の実施例２の平面図である。
【図４】  本発明の実施例２のＱ−Ｑ断面図である。
【図５】  本発明の実施例３の平面図である。
【符号の説明】１  湯道Ａ
２  湯道Ｂ
３  湯道Ｃ
４  溶湯の流れ方向
【図１】
0003174394.tif 000003
【図２】
0003174394.tif 000004
【図３】
0003174394.tif 000005
【図４】
0003174394.tif 000006
【図５】
0003174394.tif 000007
【手続補正書】
【提出日】平成23年12月21日(2011.12.21)
【手続補正１】
【補正対象書類名】実用新案登録請求の範囲
【補正対象項目名】全文
【補正方法】変更
【補正の内容】
【実用新案登録請求の範囲】
【請求項１】
鋳造において用いる方案系の２つの湯道をつなぐ湯道であって、前記２つの湯道のうち上流側湯道の幅がＤ１、高さがＨ１であるとき、前期２つの湯道をつなぐ湯道の上流部の幅がほぼＤ１、高さがほぼＨ１であって、下流部の幅ＤがＤ＝（２．５〜４）×Ｄ１、高さＨがＨ＝（０．７〜１．２）×（Ｄ１×Ｈ１）／Ｄ、湯道の長さＬがＬ＝（２〜３．５）×Ｄ１で定義されることを特徴とする湯道。
【手続補正２】
【補正対象書類名】明細書
【補正対象項目名】全文
【補正方法】変更
【補正の内容】
【考案の詳細な説明】
【考案の詳細な説明】
【産業上の利用分野】
【０００１】  本発明は、鋳造において用いる方案系の２つの湯道をつなぐ湯道に関するものである。
【背景技術】
【０００２】  鋳造においては、溶湯を製品部及び押湯部に導くために、湯口、湯道が必要で、一般に、これらに押湯を含めて方案系と称している。本考案はこの方案系のうち、湯道の改良に関するものである。【０００３】  湯道の機能は、溶湯を流すという基本機能に加え、溶湯の流れを調整してノロ、砂などの異物を補足することである。そのため昔から、湯口：湯道：堰の比を湯口比と称して、種々の湯口比が推奨されている。また、異物を除去するために、湯道の一部を絞ったり、突起を設けたりすることが現場ノウハウとして使われている。これらの手段は簡便であるが、いずれも決定的な方法ではなく、試行錯誤で用いられている。【０００４】  また、異物を補足するために湯口下又は湯道にフィルターを用いることも行われているが、異物を完全には補足できていないし、フィルターの使用は鋳物製品のコストに影響する要因のひとつである。【０００５】  また、鋳造後、湯道は湯口、押湯と共にリターン材として溶解炉に挿入されて再溶解される。この時に、湯道が折れていないと、リターン材の充填効率が悪く、結果として溶解効率が低下する。そのため、湯道を機械的に折断する工程を必要とする場合もある。【０００６】
【特許文献１】  特開２００２−３１６２３９
【特許文献２】  特開２００８−１６８３４２
【特許文献３】  特開２００８−５５４２９
【特許文献４】  実開平５−８８７４４
【考案が解決しようとする課題】
【０００７】  湯道に求められる機能は上記の通りで、溶湯を流すという基本機能を除けば、異物の補足が重要な機能である。その手段として、湯口比、湯道形状の工夫、フィルターなどが用いられているが、その効果、コストなどの面で不十分で、新規な手段が求められている。
【０００８】  また、鋳造後、湯道が折れていないと、湯道を機械的に折断する工程を必要とするので、このような工程なしで湯道が折れるような手段が求められている。
【０００９】  本考案では、上記のような課題を解決するために、異物除去機能と湯道折り機能を有する新規な湯道を提供するものである。
【課題を解決するための手段】
【００１０】  鋳造において用いる方案系の２つの湯道をつなぐ湯道であって、前記２つの湯道のうち上流側湯道の幅がＤ１、高さがＨ１であるとき、前期２つの湯道をつなぐ湯道の上流部の幅がほぼＤ１、高さがほぼＨ１であって、下流部の幅ＤがＤ＝（２．５〜４）×Ｄ１、高さＨがＨ＝（０．７〜１．２）×（Ｄ１×Ｈ１）／Ｄ、湯道の長さＬがＬ＝（２〜３．５）×Ｄ１で定義されることを特徴とする湯道である。以下詳細に説明する。
【作用】
【００１１】  本考案の湯道の形状は、主として２つの湯道がほぼ直交、あるいは直線状に交差、あるいは平行につながる部分に、２つの湯道をつなぐ湯道として用いるものである。勿論、２つの湯道が斜交している場合にも適宜の形状修正を加えて適用可能である。
【００１２】  詳細は実施例で説明するが、基本的な考え方は、２つの湯道の交差部に、２つの湯道をつなぐ湯道として三味線の撥（ばち）形状の湯道を用いる。周知の通り、三味線の撥は、手元がほぼ四角形で、先端部が広く薄くなっている。これを湯道に用いると、上流側の湯道につながっている四角形の部分から流出した溶湯は、急拡大して下流側の先端部の広く薄い部分に向かって流れる。流体力学的に言うと、拡大損失を生じて流速が低下しながら流れることになり、この時に溶湯中のノロ、砂などの異物は浮上して、この撥形状の湯道部で補足され易くなる効果が生じる。
【００１３】  また、鋳造後においては、撥（ばち）形状の湯道の先端部はもう一方の湯道に連結されているが、広く薄いので、バラシ工程の振動や段差での落下などの衝撃で簡単に折れるという効果が生じる。
【００１４】  上記のように、２つの湯道の交差部に、三味線の撥形状の湯道を用いることで、異物の補足と湯道折りという２つの作用を生じさせることができる。以下実施例において詳細に説明する。
【実施例１】
【００１５】  図１及び図２は本考案の実施例１の平面図及び断面図である。本実施例では、２つの湯道がほぼ直交している場合について説明する。方案系は直交する上流側湯道Ａ（１）と下流側湯道Ｂ（２）及びこれをつなぐ湯道Ｃ（３）から構成されている。本考案は湯道Ｃ（３）である。溶湯の流れ方向４は矢印で示されている。湯流れの上流側湯道Ａ（１）の断面形状は幅Ｄ１×高さＨ１である。下流側湯道Ｂ（２）の断面形状は特に規定しない。【００１６】  本考案の湯道Ｃ（３）の形状は、次の式で定義される三味線の撥（ばち）形状である。前記２つの湯道のうち上流側湯道Ａ（１）の幅がＤ１、高さがＨ１であるとき、前期２つの湯道をつなぐ湯道の上流部の幅がほぼＤ１、高さがほぼＨ１であって、下流部の幅ＤがＤ＝（２．５〜４）×Ｄ１、高さＨがＨ＝（０．７〜１．２）×（Ｄ１×Ｈ１）／Ｄ、湯道の長さＬがＬ＝（２〜３．５）×Ｄ１で定義される湯道である。【００１７】  まず湯道Ｃ（３）の下流部先端の広く薄い部分の幅Ｄは、上流側湯道Ａ（１）の幅Ｄ１の（２．５〜４）倍とした。つまり、上流側湯道Ａ（１）から急拡大させて、溶湯の拡大損失を生じさせて流速を低下させるようにした。これによって異物は浮上してこの部分で補足され易くなる。なお、倍率が２．５より小さすぎると流速低下が得られず、４より大きすぎると流速低下が大きくなり溶湯が過冷却され易い。【００１８】  次に湯道Ｃ（３）の下流部先端の広く薄い部分の高さＨは、湯道Ｃ（３）の下流部先端の広く薄い部分の断面積が、上流側湯道Ａ（１）の断面積Ｄ１×Ｈ１の（０．７〜１．２）倍となるようにした。つまり、この断面で、絞りを入れたり、拡大を入れたりできるようにした。この部分の幅Ｄは上流側湯道Ａ（１）の幅Ｄ１より広くなっているので、必然的に高さＨは上流側湯道Ａ（１）の高さＨ１より小さくなり、薄い形状となるので折れ易い。しかも、湯道Ｂ（２）の下部につながっているので切欠き効果でさらに折れ易くなる。【００１９】  次に湯道Ｃ（３）の長さＬは、上流側湯道Ａ（１）の幅Ｄ１の（２〜３．５）倍とした。これによって、溶湯の拡大損失する長さを規定した。短かすぎると異物の補足ができず、長すぎると溶湯の冷却が大きい。なお、湯道Ｃ（３）と上流側湯道Ａ（１）のつなぎ部はほぼ同じ形状あるいはほぼ同じ断面積でよいが、上流側湯道Ａ（１）の流速などに応じて２０％程度の調整を加えることも可能である。【００２０】  以上のように本考案の湯道Ｃ（３）の形状を構成すれば、この部分で異物補足が容易になるとともに、先端部の広く薄い部分で簡単に折れるという２つの作用効果を得ることができる。
【実施例２】
【００２１】  図３及び図４は本考案の実施例２の平面図及び断面図である。本実施例では、２つの湯道がほぼ直線状に交差している場合について説明する。方案系は直線状に交差する上流側湯道Ａ（１）と下流側湯道Ｂ（２）及びこれをつなぐ湯道Ｃ（３）から構成されている。本考案は２つの湯道Ｃ（３）であり、これを広く薄い部分を向い合せて連接して用いている。湯道Ｃ（３）の形状Ｄ、Ｈ、Ｌの寸法定義は実施例１と同じである。また、溶湯の流れ方向４は矢印で示されている。上流側湯道Ａ（１）の断面形状はＤ１×Ｈ１である。湯道Ｂ（２）の断面形状は特に規定しない。【００２２】  本実施例では、本考案の湯道Ｃ（３）を２つ連接して用いているので、溶湯は最初の湯道Ｃ（３）で拡大損失を生じ、もうひとつの次の湯道Ｃ（３）で縮小損失を生じる。これによって、実施例１に比べ２度の流動損失を生じるので、異物の補足効果がさらに大きくなる。また、２つの湯道Ｃ（３）の連接面は広く薄くなっているので、この部分から簡単に折れる構成となっている。このように湯道Ｃ（３）を２つ連接して用いることで、実施例１と同様あるいはそれ以上の効果を得ることができる。
【実施例３】
【００２３】  図５に実施例３を示す。本例は上流側湯道Ａ（１）と下流側湯道Ｂ（２）がほぼ平行な場合に、これをつなぐ湯道Ｃ（３）から構成されている。湯道Ｃ（３）の形状の寸法定義は実施例１と同じである。作用効果も実施例１と同じである。なお、上流側湯道Ａ（１）と下流側湯道Ｂ（２）が斜交している場合も同様に湯道Ｃ（３）を適宜の修正を加えて用いることができる。
【考案の効果】
【００２４】  以上説明した通り、本考案の湯道は、２つの湯道をつなぐ部分に用いて次のような効果が得られた。
１．  溶湯の湯流れの拡大損失や縮小損失を利用して流速を低下させ、異物の補足が容易になった。その結果、コストのかかるフィルターを省略できる場合もある。
２．  広く薄い部分の切欠き効果によって、鋳造後の湯道折りが容易になり、特別の湯道折り工程が不要になった。
【図面の簡単な説明】
【図１】  本発明の実施例１の平面図である。
【図２】  本発明の実施例１のＰ−Ｐ断面図である。
【図３】  本発明の実施例２の平面図である。
【図４】  本発明の実施例２のＱ−Ｑ断面図である。
【図５】  本発明の実施例３の平面図である。
【符号の説明】１  上流側湯道Ａ
２  下流側湯道Ｂ
３  ２つの湯道をつなぐ湯道Ｃ
４  溶湯の流れ方向
【手続補正３】
【補正対象書類名】図面
【補正対象項目名】全図
【補正方法】変更
【補正の内容】
【図１】
0003174394.tif 000008
【図２】
0003174394.tif 000009
【図３】
0003174394.tif 000010
【図４】
0003174394.tif 000011
【図５】
0003174394.tif 000012
【手続補正書】
【提出日】平成23年12月22日(2011.12.22)
【手続補正１】
【補正対象書類名】実用新案登録請求の範囲
【補正対象項目名】全文
【補正方法】変更
【補正の内容】
【実用新案登録請求の範囲】
【請求項１】
鋳造において用いる方案系の２つの湯道をつなぐ湯道であって、前記２つの湯道のうち上流側湯道の幅がＤ１、高さがＨ１であるとき、２つの湯道をつなぐ湯道の上流部の幅がほぼＤ１、高さがほぼＨ１であって、下流部の幅ＤがＤ＝（２．５〜４）×Ｄ１、高さＨがＨ＝（０．７〜１．２）×（Ｄ１×Ｈ１）／Ｄ、湯道の長さＬがＬ＝（２〜３．５）×Ｄ１で定義されることを特徴とする湯道。
【手続補正２】
【補正対象書類名】明細書
【補正対象項目名】全文
【補正方法】変更
【補正の内容】
【考案の詳細な説明】
【考案の詳細な説明】
【産業上の利用分野】
【０００１】  本発明は、鋳造において用いる方案系の２つの湯道をつなぐ湯道に関するものである。
【背景技術】
【０００２】  鋳造においては、溶湯を製品部及び押湯部に導くために、湯口、湯道が必要で、一般に、これらに押湯を含めて方案系と称している。本考案はこの方案系のうち、湯道の改良に関するものである。【０００３】  湯道の機能は、溶湯を流すという基本機能に加え、溶湯の流れを調整してノロ、砂などの異物を補足することである。そのため昔から、湯口：湯道：堰の比を湯口比と称して、種々の湯口比が推奨されている。また、異物を除去するために、湯道の一部を絞ったり、突起を設けたりすることが現場ノウハウとして使われている。これらの手段は簡便であるが、いずれも決定的な方法ではなく、試行錯誤で用いられている。【０００４】  また、異物を補足するために湯口下又は湯道にフィルターを用いることも行われているが、異物を完全には補足できていないし、フィルターの使用は鋳物製品のコストに影響する要因のひとつである。【０００５】  また、鋳造後、湯道は湯口、押湯と共にリターン材として溶解炉に挿入されて再溶解される。この時に、湯道が折れていないと、リターン材の充填効率が悪く、結果として溶解効率が低下する。そのため、湯道を機械的に折断する工程を必要とする場合もある。【０００６】
【特許文献１】  特開２００２−３１６２３９
【特許文献２】  特開２００８−１６８３４２
【特許文献３】  特開２００８−５５４２９
【特許文献４】  実開平５−８８７４４
【考案が解決しようとする課題】
【０００７】  湯道に求められる機能は上記の通りで、溶湯を流すという基本機能を除けば、異物の補足が重要な機能である。その手段として、湯口比、湯道形状の工夫、フィルターなどが用いられているが、その効果、コストなどの面で不十分で、新規な手段が求められている。
【０００８】  また、鋳造後、湯道が折れていないと、湯道を機械的に折断する工程を必要とするので、このような工程なしで湯道が折れるような手段が求められている。
【０００９】  本考案では、上記のような課題を解決するために、異物除去機能と湯道折り機能を有する新規な湯道を提供するものである。
【課題を解決するための手段】
【００１０】  鋳造において用いる方案系の２つの湯道をつなぐ湯道であって、前記２つの湯道のうち上流側湯道の幅がＤ１、高さがＨ１であるとき、２つの湯道をつなぐ湯道の上流部の幅がほぼＤ１、高さがほぼＨ１であって、下流部の幅ＤがＤ＝（２．５〜４）×Ｄ１、高さＨがＨ＝（０．７〜１．２）×（Ｄ１×Ｈ１）／Ｄ、湯道の長さＬがＬ＝（２〜３．５）×Ｄ１で定義されることを特徴とする湯道である。以下詳細に説明する。
【作用】
【００１１】  本考案の湯道の形状は、主として２つの湯道がほぼ直交、あるいは直線状に交差、あるいは平行につながる部分に、２つの湯道をつなぐ湯道として用いるものである。勿論、２つの湯道が斜交している場合にも適宜の形状修正を加えて適用可能である。
【００１２】  詳細は実施例で説明するが、基本的な考え方は、２つの湯道の交差部またはつなぎ部に、２つの湯道をつなぐ湯道として三味線の撥（ばち）形状の湯道を用いる。周知の通り、三味線の撥は、手元がほぼ四角形で、先端部が広く薄くなっている。これを湯道に用いると、上流側の湯道につながっている四角形の部分から流出した溶湯は、急拡大して下流側の先端部の広く薄い部分に向かって流れる。流体力学的に言うと、拡大損失を生じて流速が低下しながら流れることになり、この時に溶湯中のノロ、砂などの異物は浮上して、この撥形状の湯道部で補足され易くなる効果が生じる。
【００１３】  また、鋳造後においては、撥（ばち）形状の湯道の先端部はもう一方の湯道に連結されているが、広く薄いので、バラシ工程の振動や段差での落下などの衝撃で簡単に折れるという効果が生じる。
【００１４】  上記のように、２つの湯道の交差部に、三味線の撥形状の湯道を用いることで、異物の補足と湯道折りという２つの作用を生じさせることができる。以下実施例において詳細に説明する。
【実施例１】
【００１５】  図１及び図２は本考案の実施例１の平面図及び断面図である。本実施例では、２つの湯道がほぼ直交している場合について説明する。方案系は直交する上流側湯道Ａ（１）と下流側湯道Ｂ（２）及びこれをつなぐ湯道Ｃ（３）から構成されている。本考案は湯道Ｃ（３）である。溶湯の流れ方向４は矢印で示されている。湯流れの上流側湯道Ａ（１）の断面形状は幅Ｄ１×高さＨ１である。下流側湯道Ｂ（２）の断面形状は特に規定しない。【００１６】  本考案の湯道Ｃ（３）の形状は、次の式で定義される三味線の撥（ばち）形状である。前記２つの湯道のうち上流側湯道Ａ（１）の幅がＤ１、高さがＨ１であるとき、２つの湯道をつなぐ湯道の上流部の幅がほぼＤ１、高さがほぼＨ１であって、下流部の幅ＤがＤ＝（２．５〜４）×Ｄ１、高さＨがＨ＝（０．７〜１．２）×（Ｄ１×Ｈ１）／Ｄ、湯道の長さＬがＬ＝（２〜３．５）×Ｄ１で定義される湯道である。【００１７】  まず湯道Ｃ（３）の下流部先端の広く薄い部分の幅Ｄは、上流側湯道Ａ（１）の幅Ｄ１の（２．５〜４）倍とした。つまり、上流側湯道Ａ（１）から急拡大させて、溶湯の拡大損失を生じさせて流速を低下させるようにした。これによって異物は浮上してこの部分で補足され易くなる。なお、倍率が２．５より小さすぎると流速低下が得られず、４より大きすぎると流速低下が大きくなり溶湯が過冷却され易い。【００１８】  次に湯道Ｃ（３）の下流部先端の広く薄い部分の高さＨは、湯道Ｃ（３）の下流部先端の広く薄い部分の断面積が、上流側湯道Ａ（１）の断面積Ｄ１×Ｈ１の（０．７〜１．２）倍となるようにした。つまり、この断面で、絞りを入れたり、拡大を入れたりできるようにした。この部分の幅Ｄは上流側湯道Ａ（１）の幅Ｄ１より広くなっているので、必然的に高さＨは上流側湯道Ａ（１）の高さＨ１より小さくなり、薄い形状となるので折れ易い。しかも、湯道Ｂ（２）の下部につながっているので切欠き効果でさらに折れ易くなる。【００１９】  次に湯道Ｃ（３）の長さＬは、上流側湯道Ａ（１）の幅Ｄ１の（２〜３．５）倍とした。これによって、溶湯の拡大損失する長さを規定した。短かすぎると異物の補足ができず、長すぎると溶湯の冷却が大きい。なお、湯道Ｃ（３）と上流側湯道Ａ（１）のつなぎ部はほぼ同じ形状あるいはほぼ同じ断面積でよいが、上流側湯道Ａ（１）の流速などに応じて±２０％程度の調整を加えることも可能である。【００２０】  以上のように本考案の湯道Ｃ（３）の形状を構成すれば、この部分で異物補足が容易になるとともに、先端部の広く薄い部分で簡単に折れるという２つの作用効果を得ることができる。
【実施例２】
【００２１】  図３及び図４は本考案の実施例２の平面図及び断面図である。本実施例では、２つの湯道がほぼ直線状に交差している場合について説明する。方案系は直線状に交差する上流側湯道Ａ（１）と下流側湯道Ｂ（２）及びこれをつなぐ湯道Ｃ（３）から構成されている。本考案は２つの湯道Ｃ（３）であり、これを広く薄い部分を向い合せて連接して用いている。湯道Ｃ（３）の形状Ｄ、Ｈ、Ｌの寸法定義は実施例１と同じである。また、溶湯の流れ方向４は矢印で示されている。上流側湯道Ａ（１）の断面形状はＤ１×Ｈ１である。湯道Ｂ（２）の断面形状は特に規定しない。【００２２】  本実施例では、本考案の湯道Ｃ（３）を２つ連接して用いているので、溶湯は最初の湯道Ｃ（３）で拡大損失を生じ、もうひとつの次の湯道Ｃ（３）で縮小損失を生じる。これによって、実施例１に比べ２度の流動損失を生じるので、異物の補足効果がさらに大きくなる。また、２つの湯道Ｃ（３）の連接面は広く薄くなっているので、この部分から簡単に折れる構成となっている。このように湯道Ｃ（３）を２つ連接して用いることで、実施例１と同様あるいはそれ以上の効果を得ることができる。
【実施例３】
【００２３】  図５に実施例３を示す。本例は上流側湯道Ａ（１）と下流側湯道Ｂ（２）がほぼ平行な場合に、これをつなぐ湯道Ｃ（３）から構成されている。湯道Ｃ（３）の形状の寸法定義は実施例１と同じである。作用効果も実施例１と同じである。なお、上流側湯道Ａ（１）と下流側湯道Ｂ（２）が斜交している場合も同様に湯道Ｃ（３）を適宜の修正を加えて用いることができる。
【考案の効果】
【００２４】  以上説明した通り、本考案の湯道は、２つの湯道をつなぐ部分に用いて次のような効果が得られた。
１．溶湯の湯流れの拡大損失や縮小損失を利用して流速を低下させ、異物の補足が容易になった。その結果、コストのかかるフィルターを省略できる場合もある。
２．広く薄い部分の切欠き効果によって、鋳造後の湯道折りが容易になり、特別の湯道折り工程が不要になった。
【図面の簡単な説明】
【図１】  本発明の実施例１の平面図である。
【図２】  本発明の実施例１のＰ−Ｐ断面図である。
【図３】  本発明の実施例２の平面図である。
【図４】  本発明の実施例２のＱ−Ｑ断面図である。
【図５】  本発明の実施例３の平面図である。
【符号の説明】１  上流側湯道Ａ
２  下流側湯道Ｂ
３  ２つの湯道をつなぐ湯道Ｃ
４  溶湯の流れ方向